【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
複数の単三電池(54B)を平行に並べて装着するようにしてなる電池収納部(61)を有する電子機器(60)の電池収納部(61)に、単三電池(54B)に代わってセットされるパック電池であって、
電子機器(60)の電池収納部(61)に脱着自在に装着される外形の電池ケース(71)と、この電池ケース(71)に内蔵してなる、単三電池(54B)よりも細い複数の円筒形電池(54A)と、パック電池内において円筒形電池(54A)の周面側に重ねて配設されて、前記円筒形電池(54A)に接続されると共に、充電台(10)から供給される電力を受ける回路基板(73)とを備えてなるパック電池。
【請求項２】
複数の円筒形電池(54A)を平行に並べて定位置に配置する電池ホルダ(72)と、
円筒形電池(54A)と、前記電池ホルダ(72)と、前記回路基板(73)とを積層状態に配設して電池ケース(71)に収納してなる請求項１に記載されるパック電池。
【請求項３】
前記円筒形電池(54A)は、その中心間隔（ｄ）が電子機器(60)の電池収納部(61)にセットされる単三電池(54B)の中心間隔（Ｄ）よりも大きくなるように離して電池ケース(71)に収納されて、隣接する円筒形電池(54A)の間に、回路基板(73)に実装している電子部品(84)を配設する収納スペース(82)を設けており、この収納スペース(82)に回路基板(73)に実装している電子部品(84)を配設してなる請求項１に記載されるパック電池。
【請求項４】
充電台(10)の電源コイル(21)に電磁結合されて、前記円筒形電池(54A)を充電する電力を誘導する誘導コイル(51)を備えており、この誘導コイル(51)を回路基板(73)に積層するように配設している請求項１に記載されるパック電池。
【請求項５】
前記円筒形電池(54A)がニッケル水素電池である請求項１に記載されるパック電池。
【請求項６】
２本の単三電池(54B)を平行に並べて収納する電池収納部(61)を有する電子機器(60)に、２本の単三電池(54B)に代わって装着されるパック電池であって、電池ケース(71)に２本の円筒形電池(54A)を平行に並べて収納してなる請求項１に記載されるパック電池。
【請求項７】
前記回路基板(73)と誘導コイル(51)との間にブラケット(74)を配設して、ブラケット(74)で誘導コイル(51)を定位置に配置している請求項４に記載されるパック電池。
【請求項８】
前記ブラケット(74)と誘導コイル(51)との間にシールド層(75)を設けている請求項７に記載されるパック電池。
【請求項９】
前記電池ホルダ(72)が、円筒形電池(54A)との対向面である電池対向面に、円筒形電池(54A)を定位置に配置する嵌着凹部(72a)を有する請求項２に記載されるパック電池。
【請求項１０】
前記電池ホルダ(72)が、回路基板(73)との対向面である基板対向面に、回路基板(73)を定位置に嵌着する周壁(72b)を有し、この周壁(72b)の内側に回路基板(73)を配置している請求項２に記載されるパック電池。
【請求項１１】
電子機器(60)に装着される状態で電池収納部(61)の開口部を閉塞する背面プレート(76)を備えており、この背面プレート(76)が表面を湾曲面とすると共に、この背面プレート(76)の内側に前記誘導コイル(51)が内蔵されており、この誘導コイル(51)が背面プレート(76)の湾曲面に沿う形状に巻かれる請求項４に記載されるパック電池。
【請求項１２】
前記誘導コイル(51)は、内蔵される円筒形電池(54A)の長手方向に細長いループ状としてなる請求項１１に記載されるパック電池。
【請求項１３】
前記円筒形電池(54A)は、単四電池(54A)である請求項１乃至６、９、１２のうちのいずれかに記載されるパック電池。
【請求項１４】
前記電池ホルダ(72)が、回路基板(73)との対向面である基板対向面に、回路基板(73)を定位置に嵌着している請求項２に記載されるパック電池。
【請求項１５】
円筒形電池(54A)の円筒頂部の電池側である下側に至って、回路基板(73)に実装している電子部品(84)を配設してなる請求項１に記載されるパック電池。
【請求項１６】
誘導コイル(51)の背面に配設されるシールド層(75)を備える請求項４に記載されるパック電池。
【請求項１７】
前記電池ホルダ(72)が、回路基板(73)を定位置に固定している請求項２に記載されるパック電池。
【手続補正２】
【補正対象書類名】明細書
【補正対象項目名】０００７
【補正方法】変更
【補正の内容】
【０００７】
本発明のパック電池は、前述の目的を達成するために以下の構成を備える。
パック電池は、複数の単三電池５４Ｂを平行に並べて装着するようにしてなる電池収納部６１を有する電子機器６０の電池収納部６１に、単三電池５４Ｂに代わってセットする。パック電池は、電子機器６０の電池収納部６１に脱着自在に装着される外形の電池ケース７１と、この電池ケース７１に内蔵してなる、単三電池５４Ｂよりも細い複数の円筒形電池５４Ａとを備える。複数の円筒形単四電池５４Ａを平行に並べて定位置に配置する電池ホルダ７２を備える。パック電池内において円筒形電池５４Ａの周面側に重ねて配設されて、円筒形単四電池５４Ａに接続されると共に、充電台１０から供給される電力を受ける回路基板７３とを備えている。複数の円筒形電池５４Ａは、その中心間隔（ｄ）が電子機器６０の電池収納部６１にセットされる単三電池５４Ｂの中心間隔（Ｄ）よりも大きくなるように離して電池ケース７１に収納しており、隣接する単四電池５４Ａの間に、回路基板７３に実装している電子部品８４を配設する収納スペース８２を設けている。パック電池は、この収納スペース８２に回路基板７３に実装している電子部品８４を配設して、複数列の円筒形電池５４Ａと、電池ホルダ７２と、回路基板７３とを積層状態に配設して電池ケース７１に収納している。
【手続補正３】
【補正対象書類名】明細書
【補正対象項目名】０００８
【補正方法】変更
【補正の内容】
【０００８】
以上の構造のパック電池は、電子機器の単三電池を装着するように設計している電池収納部に、単三電池に代わって装着して使用できることから、電子機器から外すことなく、電子機器にセットする状態で繰り返し充電することで、単三電池よりもさらに便利に使用できる特徴がある。また、以上のパック電池は、複数の円筒形電池を内蔵することで充電容量を大きくしながら、単三電池よりも細い円筒形電池を、中心間隔が単三電池よりも広くなるように離して配設して、隣接する円筒形電池の間に、回路基板に実装している電子部品の収納スペースを設けて、ここに回路基板の電子部品を配置できることから、外形をコンパクトにして、単三電池を装着するように設計している電池収納部に単三電池に代わって装着して使用できる特徴も実現する。
【手続補正４】
【補正対象書類名】明細書
【補正対象項目名】０００９
【補正方法】変更
【補正の内容】
【０００９】
本発明のパック電池は、充電台１０の電源コイル２１に電磁結合されて、円筒形電池５４Ａを充電する電力を誘導する誘導コイル５１を備えており、この誘導コイル５１を回路基板７３に積層するように配設している。このパック電池は、内蔵する円筒形電池を、電源コイルに電磁結合される誘導コイルに誘導される電力で充電するので、無接点充電で安定して充電できる構造としながら、単三電池を装着するように設計している電池収納部に単三電池に代わって装着して使用できる。
【手続補正５】
【補正対象書類名】明細書
【補正対象項目名】００１０
【補正方法】変更
【補正の内容】
【００１０】
本発明のパック電池は、円筒形電池５４Ａをニッケル水素電池としている。このパック電池は、単位体積に対する充電容量をアルカリ電池よりも大きくできるニッケル水素電池を使用することから、単三電池に代わって使用しながら、単三電池に勝るとも劣らない充電容量を実現して、パック電池を電源として電子機器を長い時間にわたって使用できる特徴がある。
【手続補正６】
【補正対象書類名】明細書
【補正対象項目名】００１１
【補正方法】変更
【補正の内容】
【００１１】
本発明のパック電池は、２本の単三電池５４Ｂを平行に並べて収納する電池収納部６１を有する電子機器６０に、２本の単三電池５４Ｂに代わって装着するようにしており、電池ケース７１に２本の円筒形電池５４Ａを平行に並べて収納してなる。
このパック電池は、２本の単三電池に代わって２本の円筒形電池を使用することから、円筒形電池としてニッケル水素電池などの充電容量の大きな二次電池を使用することで、単三電池に勝るとも劣らない充電容量を実現して、パック電池を電源として電子機器を長い時間にわたって使用できる特徴がある。
【手続補正７】
【補正対象書類名】明細書
【補正対象項目名】００１２
【補正方法】変更
【補正の内容】
【００１２】
本発明のパック電池は、回路基板７３と誘導コイル５１との間にブラケット７４を配設して、ブラケット７４で誘導コイル５１を定位置に配置している。このパック電池は、ブラケットで誘導コイルを定位置に配置できる特徴がある。
【手続補正８】
【補正対象書類名】明細書
【補正対象項目名】００１３
【補正方法】変更
【補正の内容】
【００１３】
さらに、本発明のパック電池は、ブラケット７４と誘導コイル５１との間にシールド層７５を設けている。このパック電池は、ブラケットでシールド層を定位置に配置して、電池や回路基板を電源コイルからシールドして保護できる特徴がある。
【手続補正９】
【補正対象書類名】明細書
【補正対象項目名】００１４
【補正方法】変更
【補正の内容】
【００１４】
本発明のパック電池は、電池ホルダ７２が、円筒形電池５４Ａとの対向面である電池対向面に、円筒形電池５４Ａを定位置に配置する嵌着凹部７２ａを有する。この構造は、電池ホルダの嵌着凹部に円筒形電池に案内して、円筒形電池を定位置に配置できる。
【手続補正１０】
【補正対象書類名】明細書
【補正対象項目名】００１５
【補正方法】変更
【補正の内容】
【００１５】
本発明のパック電池は、電池ホルダ７２が、回路基板７３との対向面である基板対向面に、回路基板７３を定位置に嵌着する周壁７２ｂを有し、この周壁７２ｂの内側に回路基板７３を配置している。このパック電池は、円筒形電池を定位置に配置する電池ホルダでもって、回路基板を正確な位置に配置できる。
【手続補正１１】
【補正対象書類名】明細書
【補正対象項目名】００１６
【補正方法】変更
【補正の内容】
【００１６】
さらに、本発明のパック電池は、加えて、電子機器６０に装着される状態で電池収納部６１の開口部を閉塞する背面プレート７６を備え、この背面プレート７６の表面を湾曲面とすると共に、この背面プレート７６の内側に誘導コイル５１を内蔵している。この誘導コイル５１は、背面プレート７６の湾曲面に沿う形状に巻かれる。そして、誘導コイル５１は、内蔵される円筒形電池５４Ａの長手方向に細長いループ状としている。
円筒形電池５４Ａは、単四電池５４Ａである。
電池ホルダ７２が、回路基板７３との対向面である基板対向面に、回路基板７３を定位置に嵌着している。
円筒形電池５４Ａの円筒頂部の電池側である下側に至って、回路基板７３に実装している電子部品８４を配設してなる。
誘導コイル５１の背面に配設されるシールド層７５を備える。
電池ホルダ７２が、回路基板７３を定位置に固定している。